(57)【要約】【課題】カーペット面に対する挙動を改善した掃除機ヘッドを提供すること。【解決手段】真空掃除機のための掃除機ヘッドは、吸引入口と、前方ブレードと、後方ブレードと、を備える。前方ブレードは、吸引入口の前方にまたは吸引入口の前に位置し、第１軸回りに回動するように構成されている。後方ブレードは、吸引入口の後方にまたは吸引入口の後に位置し、第１軸とは異なる第２軸回りに回動するように構成されている。ブレードそれぞれは、展開位置と後退位置との間で回動する。ブレードは、一方のブレードが展開位置にあるときに他方のブレードが後退位置にあるように構成されている。さらに、一方のブレードが展開位置から後退位置へ移動すると、他方のブレードは、後退位置から展開位置へ移動する。【選択図】図７
2018175899.tif 000002
【特許請求の範囲】
【請求項１】
明細書及び図面に記載されていることを特徴とする真空掃除機のための掃除機ヘッド。
【発明の詳細な説明】
【技術分野】
【０００１】
本発明は、真空掃除機のための掃除機ヘッドに関する。
【背景技術】
【０００２】
図１から図３は、真空掃除機のための公知の掃除機ヘッド１を示す。掃除機ヘッド１の基部は、吸引入口２と、吸引入口２の前方に位置する前方プレート３と、吸引入口２の後方に位置する後方プレート４と、を備える。
【発明の概要】
【発明が解決しようとする課題】
【０００３】
２つのプレート３、４それぞれは、水平に対して傾いている、すなわち傾斜付けされている。掃除機ヘッド１をカーペット面上に位置すると、２つのプレート３、４は、カーペットのパイルに侵入する。その結果、吸引入口２内に引き込まれる空気は、プレート３、４それぞれの下方を通過し、より深くカーペット内を通る。掃除機ヘッド１を前方に押すと、前方プレート３の傾斜面は、カーペットのパイルを平らにすることを補助する。その結果、前方プレート３は、カーペットのパイル上を比較的滑らかに移動する。一方、後方プレート４は、パイルに対する垂直面を呈し、したがって、パイルに食い込む。その結果、掃除機ヘッド１を前方へ操作するために、より大きな押付力が必要となる。さらに、掃除機ヘッド１を前方に押す際に、後方プレート４がまずパイルに食い込んでその後十分な押付力によってパイルを飛び越えるので、掃除機ヘッド１は、カーペットを飛び越え得る。掃除機ヘッド１がカーペットから瞬間的に上昇されるので、掃除機ヘッド１が飛び跳ねることは、掃除性能を悪化させる可能性がある。掃除機ヘッド１を後方に引くときも、同じ挙動が観測される。
【課題を解決するための手段】
【０００４】
本発明は、真空掃除機のための掃除機ヘッドを提供し、この掃除機ヘッドは、吸引入口と、吸引入口の前方にまたは吸引入口の前に位置し、第１軸回りに回動するように構成された前方ブレードと、吸引入口の後方にまたは吸引入口の後に位置し、第１軸とは異なる第２軸回りに回動するように構成された後方ブレードと、を備え、ブレードそれぞれは、展開位置と後退位置との間で回動し、ブレードそれぞれは、展開位置にあるときに下方に突出し、ブレードは、互いに連結されており、それにより、（ｉ）一方のブレードが展開位置にあるときに、他方のブレードは後退位置にあり、（ｉｉ）一方のブレードを展開位置から後退位置へ移動させることによって、他方のブレードは、後退位置から展開位置へ移動させられる。
【０００５】
ブレードそれぞれは、展開位置にあるときに、下方に突出する。結果として、カーペット面上で使用するときに、展開したブレードは、カーペットのパイルに侵入する。そして、展開したブレードを介して吸引入口内に引き込まれた空気は、カーペット内を深く通る。ブレードは、一方のブレードが展開位置にあるときに他方のブレードが後退位置にあるように互いに連結されている。結果として、掃除機ヘッドを前方または後方に操作すると、一方のブレードのみをどの時点においても展開させる。その結果、掃除機ヘッドを操作することがより容易になり、カーペット面上で飛び跳ねにくくなる。一方のブレードのみをどの時点においても展開するので、カーペット内へより深く侵入するブレードを採用することができる。対照的に、図１から図３の掃除機ヘッドのプレートがカーペット内へより深く侵入するようになると、掃除機ヘッドを操作するために必要な力は、過剰になり始め得、かつ／または、掃除機ヘッドが飛び跳ねることは、より頻繁になり得る。掃除機ヘッドの操作性を改善することに加え、ブレードそれぞれは、後退位置あるときに掃除機ヘッドとカーペットとの間に部分的なシールを形成することを補助し得る。その結果、展開したブレードにおいて、より多くの空気を吸引入口に引き込むことが発生し、このため、清掃性能を改善する。
【０００６】
前方ブレードは、掃除機ヘッドを前方に操作したときに、展開位置へ移動し得、後方ブレードは、掃除機ヘッドを後方に操作したときに、展開位置へ移動し得る。さらに、（カーペット面のような）清掃面上で掃除機ヘッドの進行方向を逆にすると、清掃面は、展開したブレードに力をかけ、この力は、展開したブレードを後退位置に向けて移動させる。ブレード間を連結した結果として、後退したブレードは、順に、展開位置に向けて移動する。後退したブレードが展開位置に向けて移動すると、清掃面は、後退したブレードに力をかけ、この力は、後退したブレードを展開位置へ完全に移動させる。このため、掃除機ヘッドのブレードは、掃除機ヘッドを前後に操作するにしたがって、展開及び後退位置間を自動的に移動する。そして、これは、ユーザが前方または後方移動のために掃除機ヘッドの設定を調整する必要がない、という利点を有する。
【０００７】
展開位置にあるときに、前方ブレードは、傾斜付きの前方を向く面を有し得、後方ブレードは、傾斜付きの後方を向く面を有し得る。そして、これは、カーペット面上で掃除機ヘッドを前後に操作するにしたがって、展開したブレードが反ってカーペットのパイルを平らにさせる、という利点を有する。その結果、展開したブレードは、パイル上を比較的滑らかに移動できる。
【０００８】
展開位置にあるときに、前方ブレードは、垂直の後方を向く面を有し得、後方ブレードは、垂直の前方を向く面を有し得る。そして、これは、展開したブレードと清掃面との間に形成されるシールが比較的弱い、という利益を有する。結果として、より多くの空気を吸引入口内に引き込むことは、展開したブレードで発生する。さらに、展開したブレードの下方で引き込まれたゴミ含有空気は、吸引入口までの比較的障害物のない経路を有し得、それにより、空気によって運ばれるゴミは、カーペット上に戻るように配設されにくい。
【０００９】
後退位置にあるときに、前方ブレードの後方を向く面と後方ブレードの前方を向く面とは、水平になり得る。その結果、後退したブレードの水平面と清掃面との間には、部分的なシールが形成され得る。そして、これは、後退したブレードを介して吸引入口に引き込まれる空気が少なくなり、これにより、展開したブレードを介して吸引入口に引き込まれる空気が多くなり、これは、最も望ましいことである。
【００１０】
掃除機ヘッドは、前方ブレードの前方に位置する平坦な前方プレートと、後方ブレードの後方に位置する平坦な後方プレートと、を備え得る。そして、前方ブレードは、展開位置にあるときに、前方プレートの平面を越えて下方に突出し、後方ブレードは、展開位置にあるときに、後方プレートの平面を越えて下方に突出する。掃除機ヘッドをカーペット面上で前方に操作すると、後方プレートは、カーペットのパイル上にあり、パイルを優しく潰し、それにより、部分的なシールを形成する。同じく、掃除機ヘッドを後方に操作すると、前方ブレードは、カーペットのパイル上にあり、パイルを優しく潰し、それにより、部分的なシールを形成する。そして、これは、後退したブレードを介して吸引入口内に引き込まれる空気が少なくなり、これにより、展開したブレードを介して吸引入口内に引き込まれる空気をより多くする、という利益を有する。展開したブレードは、対応するプレートを越えて下方に突出する。その結果、対応するプレートは、展開したブレードを介して吸引開口内に引き込まれた空気の流動に悪影響を及ぼさない、すなわち、前方プレートは、前方移動中に、前方ブレードの下方の空気流動に悪影響を及ぼさず、後方プレートは、後方移動中に、後方ブレードの下方の空気流動に悪影響を及ぼさない。
【００１１】
前方ブレードは、後退位置にあるときに、前方プレートと面一にされ得、後方ブレードは、後退位置にあるときに、後方プレートと面一にされ得る。そして、これは、後退位置にあるときに、ブレードそれぞれが掃除機ヘッドと清掃面との間に形成された部分的なシールに寄与する、という利点を有する。その結果、より効果的なシールを達成し得る。
【００１２】
展開位置から後退位置へ移動するときに、前方ブレードは、前方に回動し得、後方ブレードは、後方に回動し得る。そして、これは、ブレードの移動によっては吸引入口のサイズを変更しない、という利益を有し、このため、前後方向双方で同じ清掃性能を達成し得る。
【００１３】
前方及び後方ブレードは、ブレードそれぞれに取り付けられたブラケットによって互いに連結され得る。より詳しくは、ブラケットは、２つの腕及び橋を備え得る。そして、一方の腕は、一端部において前方ブレードに固定式に取り付けられ、反対側の端部において橋に回動可能に取り付けられている。そして、他方の腕は、一端部において後方ブレードに固定式に取り付けられ、反対側の端部において橋に回動可能に取り付けられている。特に本明細書で説明したようにブラケットを使用してブレードを連結することにより、一方のブレードが展開位置から後退位置へ移動するにしたがって他方のブレードが後退位置から展開位置へ移動させられることを保証するための比較的簡素な配置を提供する。
【００１４】
本発明は、同様に、真空掃除機のための掃除機ヘッドを提供し、この掃除機ヘッドは、吸引入口と、吸引入口の前方にまたは吸引入口の前に位置し、第１軸回りに回動する前方ブレードと、吸引入口の後方にまたは吸引入口の後に位置し、第１軸とは異なる第２軸回りに回動する後方ブレードと、を備え、ブレードそれぞれは、展開位置と後退位置との間で回動し、ブレードそれぞれは、展開位置にあるときに、下方に向けて突出し、掃除機ヘッドを清掃面上で前方向に移動させることによって、前方ブレードを展開位置へ移動させ、かつ、後方ブレードを後退位置へ移動させ、掃除機ヘッドを清掃面上で後方向へ移動させることによって、後方ブレードを展開位置へ移動させ、かつ、前方ブレードを後退位置へ移動させる。
【００１５】
本発明をより迅速に理解し得るために、ここで、添付の図面を参照しながら、例として本発明の実施形態を説明する。
【図面の簡単な説明】
【００１６】
【図１】公知の掃除機ヘッドを示す斜視図である。
【図２】図１の掃除機ヘッドを示す下面図である。
【図３】図１の掃除機ヘッドの中心を通る断面図である。
【図４】本発明にかかる掃除機ヘッドを示す斜視図である。
【図５】図４の掃除機ヘッドを示す下面図である。
【図６】図４の掃除機ヘッドを示す分解図である。
【図７】図４の掃除機ヘッドの中心を通る断面図であって、（ａ）が掃除機ヘッドのブレードが第１構造にあるとき、（ｂ）が掃除機ヘッドのブレードが第２構造にあるとき、を示す、断面図である。
【図８】図４の掃除機ヘッドの中心を通る断面図であって、カーペット面での使用中における、（ａ）が前方移動中の掃除機ヘッドを示し、（ｂ）が掃除機ヘッドの進行方向を逆にした直後の掃除機ヘッドを示し、（ｃ）が後方移動中の掃除機ヘッドを示す、断面図である。
【発明を実施するための形態】
【００１７】
図４から図８の掃除機ヘッド１０は、主本体１１、前方ブレード１２、後方ブレード１３、一対のブラケット１４及び一対のカバー１５を備える。
【００１８】
主本体１１は、主本体１１の基部に位置する吸引入口２０を備える。吸引入口２０は、形状が矩形状であり、吸引入口２０の上方に位置する吸引キャビティ２１内に開口する。主本体１１は、真空掃除機（図示略）に取り付けるための首状部分１８を備える。チャネル２２は、吸引キャビティ２１から首状部分１８の端部に位置する吸引出口２３まで首状部分１８を通って延在する。使用中において、真空掃除機によって吸引出口２３にかけられた吸引力により、吸引入口２０を介してゴミ含有空気を吸引キャビティ２１内に引き込ませる。そこから、ゴミ含有空気は、チャネル２２を介して真空掃除機まで運ばれる。
【００１９】
主本体１１の基部は、吸引入口２０の前方に位置する前方プレート３０と、吸引入口２０の後方に位置する後方プレート３１と、を備える。プレート３０、３１それぞれは、平坦であり、水平に延在する。
【００２０】
前方及び後方ブレード１２、１３は、吸引キャビティ２１内に位置し、前方ブレード１２は、吸引キャビティ２１の前方に位置し、後方ブレード１３は、吸引キャビティ２１の後方に位置する。ブレード１２、１３それぞれは、細長い本体４０と、一対の回動ピン４１と、を備える。前方ブレード１２は、停止腕４２をさらに備える。ブレード１２、１３それぞれの本体４０は、涙滴に似た横断面形状を有する。その結果として、本体４０は、筒状部分と正三角形状または角柱状部分とを有するとされ得る。回動ピン４１は、本体４０の端部から外方に延在する。前方ブレード１２の停止腕４２は、本体４０の長さに沿って外方に延在する。
【００２１】
ブレード１２、１３それぞれの回動ピン４１は、掃除機ヘッド１０の主本体１１の側壁にある対応する孔部１９内に受けられる。その結果、ブレード１２、１３それぞれは、主本体１１に対して回動可能に取り付けられている。前方ブレード１２は、第１軸４３回りに回動し、後方ブレード１３は、第１軸４３とは異なるが第１軸４３と平行な第２軸４４回りに回動する。
【００２２】
ブレード１２、１３それぞれは、展開位置と後退位置との間で回動する。図７（ａ）は、前方ブレード１２が展開位置にあり後方ブレード１３が後退位置にある掃除機ヘッド１０を示し、図７（ｂ）は、前方ブレード１２が後退位置にあり後方ブレード１３が展開位置にある掃除機ヘッド１０を示す。展開位置にあると、ブレード１２、１３それぞれは、下方に突出する、すなわち、ブレード１２、１３の正三角形状部分は、下方を向く。さらに、ブレード１２、１３は、主本体１１の基部を越えて下方に突出する。そのため、例えば、前方ブレード１２が展開位置にあるとき、ブレード１２は、前方プレート３０の平面を越えて下方に突出する。展開位置にあるとき、ブレード１２、１３それぞれは、前方を向く面５０、６０と、後方を向く面５１、６１と、これら２つの面が合流するところにある作用縁５２、６２と、を有すると言え得る。前方ブレード１２の前方を向く面５０と後方ブレード１３の後方を向く面６１とは、傾斜付けられている。より詳しくは、前方ブレード１２の前方を向く面５０は、主本体１１の前方に向かう方向で作用縁５２から上方に延在し、後方ブレード１３の後方を向く面６１は、主本体１１の後方に向かう方向で作用縁６２から上方に延在する。前方ブレード１２の後方を向く面５１と後方ブレード１３の前方を向く面６０とは、垂直に延在する。後退位置にあるとき、ブレード１２、１３それぞれは、前方に（前方ブレード）または後方に（後方ブレード）に突出する、すなわち、同様に、ブレード１２、１３の正三角形状部分は、前方または後方を向く。さらに、ブレード１２、１３それぞれは、主本体１１の基部と面一になっている。そのため、例えば、前方ブレード１２が後退位置にあるとき、前方ブレード１２の後方を向く面５１は、前方プレート３０の平面と同じ平面にある。
【００２３】
前方ブレード１２の停止腕４２は、前方ブレード１２が展開位置及び後退位置双方にあるときに、主本体１１に接触する。このため、停止腕４２は、これら２つの位置を越えた前方ブレード１２の移動を防止する。後述するように、２つのブレード１２、１３は、互いに連結されており、このため、停止腕４２は、同様に、展開及び後退位置を越えた後方ブレード１３の移動を防止するように作用する。
【００２４】
２つのブレード１２、１３は、互いに連結されており、それにより、（ｉ）一方のブレード１２が展開位置にあるときに、他方のブレード１３は、後退位置にある、かつ、（ｉｉ）一方のブレード１２が展開位置から後退位置へ移動するときに、他方のブレード１３は、後退位置から展開位置へ移動させられる。ブレード１２、１３は、２つのブラケット１４によって互いに連結されている。一方のブラケット１４は、主本体１１の一方側でブレード１２、１３を連結するために使用され、他方のブラケット１４は、主本体１１の反対側でブレード１２、１３を連結するために使用される。ブラケット１４それぞれは、２つの腕７０、７１及び橋７２を備える。一方の腕７０は、一端部において前方ブレード１２の回動ピン４１に固定式に取り付けられており、反対側の端部において橋７２に回動可能に取り付けられている。他方の腕７１は、一端部において後方ブレード１３の回動ピン４１に固定式に取り付けられており、反対側の端部において橋７２に回動可能に取り付けられている。そして、橋７２は、２つの腕７０、７１間に延在し、これら腕に回動可能に取り付けられている。前方ブレード１２が展開位置から後退位置へ移動すると、前方ブレード１２に取り付けられた腕７０は、第１軸４３回りに回動する。そして、橋７２は、腕７０によって後方へ押され、順に、他方の腕７１を第２軸４４回りに回動させる。その結果、後方ブレード１３は、後退位置から展開位置へ移動する。同様に、後方ブレード１３が展開位置から後退位置へ移動すると、後方ブレード１３に取り付けられた腕７１は、第２軸４４回りに回動する。そして、橋７２は、腕７１によって前方に押され、順に、他方の腕７０を第１軸４３回りに回動させる。その結果、前方ブレード１２は、後退位置から展開位置へ移動する。
【００２５】
カバー１５は、主本体１１に取り付けられており、それにより、ブラケット１４とブレード１２、１３の端部とを覆う。
【００２６】
ここで、掃除機ヘッド１０をカーペット面８０上で使用することを図８を参照しながら説明する。
【００２７】
図８（ａ）は、前方向に移動するときの掃除機ヘッド１０を示す。前方ブレード１２は、展開位置にあり、後方ブレード１３は、後退位置にある。吸引出口２３に生じた吸引力は、吸引入口２０を介して空気を吸引キャビティ２１内に引き込ませる。掃除機ヘッド１０の前方で吸引された空気は、前方ブレード１２の下方を通過させられる。前方ブレード１２は、展開位置にあり、カーペット８０のパイル内へ深く侵入している。その結果、空気は、カーペット８０内に深く通り、より多くのゴミを取り上げる。後方ブレード１３及び後方プレート３１は、平坦面を呈し、この平坦面は、カーペット８０のパイルの頂部上にあり、パイルを優しく潰す。したがって、カーペット８０と掃除機ヘッド１０のうち吸引入口２０の後方に位置するその部分との間には、部分的なシールが形成される。その結果、掃除機ヘッド１０の後方に引き込まれる空気が少なくなり、これにより、掃除機ヘッド１０の前方に引き込まれる空気が多くなり、これは、前方移動中に最も望ましいことである。掃除機ヘッド１０が前方に移動するにしたがって、カーペット８０のパイルは、後方に作用する力を前方ブレード１２にかける。しかしながら、停止腕４２は、前方ブレード１２が展開位置を越えて後方へ回動することを防止する。前方ブレード１２の傾斜付きの前方を向く面５０は、反ってカーペット８０のパイルを平らにさせる。したがって、前方ブレード１２は、カーペット８０上を比較的滑らかに移動する。後方ブレード１３及び後方プレート３１は、カーペット８０の頂部上にある平坦面を呈し続ける。その結果、掃除機ヘッド１０の移動は、後方ブレード１３または後方プレート３１によっては過度に邪魔されない。
【００２８】
図８（ｂ）は、掃除機ヘッド１０の進行方向を逆にした直後の掃除機ヘッド１０を示す。掃除機ヘッド１０の方向を逆にして後方に移動し始めると、カーペット８０のパイルは、前方向に作用する力を前方ブレード１２にかける。その結果、前方ブレード１２は、展開位置から後退位置へ移動し始める。２つのブレード１２、１３間を連結しているので、後方ブレード１３も、後退位置から展開位置へ移動し始める。後方ブレード１３が後退位置から移動するにしたがって、後方ブレード１３は、カーペット８０のパイルに引っかかる。結果として、前方ブレード１２に力をかけることに加え、カーペット８０のパイルは、後方ブレード１３に力をかける。したがって、カーペット８０は、前方ブレード１２を後退位置へ押し上げ、後方ブレード１３を展開位置へ引き下げる。
【００２９】
図８（ｃ）は、後方向に移動するときの掃除機ヘッド１０を示す。このとき、前方ブレード１２は、後退位置にあり、後方ブレード１３は、展開位置にある。後方ブレード１３は、カーペット８０のパイル内に深く侵入している。その結果、掃除機ヘッド１０の後方に引き込まれた空気は、カーペット８０内に深く通る。前方ブレード１２及び前方プレート３０は、平坦面を呈し、この平坦面は、カーペット８０のパイルの頂部上にあり、パイルを優しく潰す。したがって、カーペット８０と掃除機ヘッド１０のうち吸引入口２０の前方に位置するその部分との間には、部分的なシールが形成される。その結果、掃除機ヘッド１０の前方に引き込まれる空気が少なくなり、これにより、掃除機ヘッド１０の後方に引き込まれる空気が多くなり、これは、後方移動中に最も望ましいことである。掃除機ヘッド１０が後方に移動するにしたがって、後方ブレード１３の傾斜付きの後方を向く面６１は、反ってカーペット８０のパイルを平らにさせる。したがって、後方ブレード１３は、カーペット８０上を比較的滑らかに移動する。前方ブレード１２及び前方プレート３０は、カーペット８０の頂部上にある平坦面を呈し続ける。その結果、掃除機ヘッド１０の後方移動は、前方ブレード１２または前方プレート３０によっては過度に邪魔されない。
【００３０】
図１から図３の掃除機ヘッド１と比較して、上述しかつ図４から図８に示した掃除機ヘッド１０は、より良好な清掃性能を実現できる。特に、掃除機ヘッド１０を前方に操作したときに、前方ブレード１２は、カーペット８０に侵入し、掃除機ヘッド１０とカーペット８０との間で吸引入口２０の後方には、部分的なシールが形成される。部分的なシールがある結果として、前方ブレード１２の下方により多くの空気を引き込み、このため、吸引入口２０内へ空気によってより多くのゴミを運ぶ。同様に、掃除機ヘッドを後方に操作したときに、後方ブレード１３は、カーペット８０内に侵入し、掃除機ヘッド１０とカーペット８０との間で吸引入口２０の前方には、部分的なシールが形成される。その結果、後方ブレード１３の下方により多くの空気を引き込む。一方、図１から図３の掃除機ヘッド１を用いると、掃除機ヘッド１の前後移動双方の間に、前方プレート３及び後方プレート４の下方に均等に空気を引き込む。その結果、プレート３、４それぞれの下方を通過する空気は、流速が低く、このため、吸引入口２内には、より少ないゴミが空気によって運ばれる。
【００３１】
図１から図３の掃除機ヘッド１とは対照的に、上述した掃除機ヘッド１０は、操作がより容易であり、カーペット面８０上で飛び跳ねにくい。特に、掃除機ヘッド１０を前方または後方に操作すると、後を追う側のブレード（すなわち、前方移動中における後方ブレード１３または後方移動中における前方ブレード１２）は、後退位置へ移動し、掃除機ヘッド１０の移動を過度に邪魔しない。対照的に、図１から図３の掃除機ヘッド１を前方または後方に操作すると、後を追う側のプレート３または４は、カーペットのパイルに食い込む傾向がある。その結果、掃除機ヘッド１０操作するためには、より大きな力を必要とする。さらに、掃除機ヘッド１は、後を追う側のプレート３または４がパイルに食い込んでその後十分な力によってパイルを飛び越えるので、カーペットを飛び跳ねる。
【００３２】
後を追う側のブレード１２、１３が後退位置へ移動して掃除機ヘッド１０の移動を過度に邪魔しないので、カーペット８０内へより深く侵入するブレード１２、１３を採用することができる。対照的に、図１から図３の掃除機ヘッド１のプレート３、４がカーペット内へより深く侵入すると、掃除機ヘッド１を操作するために必要な力は、過剰になり得、かつ／または、掃除機ヘッド１が飛び跳ねることは、より頻繁になり得る。
【００３３】
上記実施形態において、前方及び後方ブレード１２、１３は、吸引キャビティ２１内に位置する。そして、シール４５は、掃除機ヘッド１０のブレード１２、１３それぞれと主本体１１との間に設けられている。その結果、ゴミ含有空気は、ブレード１２、１３と主本体１１との間の比較的狭い空間を通って引き込まれることが防止される。ブレード１２、１３が吸引キャビティ２１内に位置しているので、ブレード１２、１３は、有効吸引入口の前縁及び後縁（すなわち、吸引入口２０のその部分であってこの部分を通って空気を引き込む部分）を画成するとみなされ得る。前方ブレードが展開位置から後退位置へ移動する際に、前方ブレード１２は、前方に回動し、後方ブレード１３は、後方に回動する。その結果、有効吸引入口のサイズを変更せず、これを図７及び図８に示す。
【００３４】
展開位置にあると、前方ブレード１２の後方を向く面５１と後方ブレード１３の前方を向く面６０とは、垂直に延在する。その結果、比較的鋭利な作用縁５２、６２をブレード１２、１３それぞれに関して実現する。そして、これは、展開したブレード１２または１３とカーペット８０との間に形成されるシールが比較的弱い、という利益を有する。結果として、より多くの空気を吸引入口２０内に引き込むことは、展開したブレード１２または１３で生じる。さらに、図８（ａ）及び図８（ｃ）においてわかるように、展開したブレード１２または１３の下方で引き込まれたゴミ含有空気は、吸引入口２０までの比較的障害物のない経路を有し、それにより、空気によって運ばれるゴミは、カーペット８０上に戻るように配設されにくい。
【００３５】
ブレード１２、１３を吸引キャビティ２１内に位置させるのではなく、ブレード１２、１３は、吸引キャビティ２１の外側に位置し得る。したがって、より一般的な感覚において、前方ブレード１２は、吸引入口２０の前方にまたは吸引入口の前に位置すると言え得、後方ブレード１３は、吸引入口の後方にまたは吸引入口の後に位置すると言え得る。ブレード１２、１３が吸引キャビティ２１の外側に位置する場合、ブレード１２、１３は、理想的には、吸引入口２０に近接して位置し、それにより、空気が展開したブレード１２または１３の下方から吸引入口２０まで移動する際に、空気によって取られる経路は、比較的短い。このようにする理由は、空気によって取られる経路の長さが増加するにしたがって、空気によって運ばれるゴミをカーペット８０上に戻すように配設する可能性が増加するため、である。
【００３６】
展開位置にあるときに、ブレード１２、１３それぞれは、下方に突出し、後退位置へ移動するときに、約９０°の角度にわたって回動する。その結果、後退位置にあるときに、前方ブレード１２は、前方に突出し、後方ブレード１３は、後方に突出する。さらに、後退位置にあるときに、ブレード１２、１３は、対応するプレート３０、３１と面一になる。そして、これは、後退位置にあるときにブレード１２、１３それぞれが掃除機ヘッド１０とカーペット面８０との間に形成される部分的なシールに寄与する、という利点を有する。この利点にかかわらず、ブレード１２、１３それぞれは、より小さいまたはより大きい角度にわたって回動し得る。より小さい角度は、後退位置にあるときにブレード１２、１３それぞれがいくらかの角度まで下方に突出し続けること、を意味する一方で、より大きい角度は、ブレード１２、１３それぞれが上方に突出すること、を意味する。それにもかかわらず、ブレード１２、１３が回動する角度に関係なく、ブレード１２、１３それぞれは、展開位置から離れるように移動する。その結果、掃除機ヘッド１０の移動は、ブレード１２、１３双方が展開位置で固定されている配置と比較して、容易である。
【００３７】
掃除機ヘッド１０のブレード１２、１３は、掃除機ヘッド１０を前後に操作するにしたがって、展開及び後退位置間で自動的に移動する。そして、これは、ユーザが前方または後方移動のために掃除機ヘッド１０の設定を調整する必要がない、という利点を有する。２つのブレード１２、１３は、一対のブラケット１４を用いて互いに連結されており、これは、一方のブレード１２が展開位置から後退位置へ移動するにしたがって他方のブレード１３が後退位置から展開位置へ移動することを保証するための比較的簡素な配置である。あるいは、２つのブレード１２、１３を互いに連結する一方で同じ効果を達成するために、別の手段を使用し得る。さらに、２つのブレード１２、１３を互いに連結するのではなく、ブレード１２、１３それぞれは、独立して移動するように構成され得る。しかしながら、上述した利点を達成するために、２つのブレード１２、１３は、理想的には、掃除機ヘッド１０を前方向に移動させることによって前方ブレード１２を展開位置へ移動させかつ後方ブレード１３を後退位置へ移動させ、かつ、掃除機ヘッド１０を後方に移動させることによって後方ブレード１３を展開位置へ移動させかつ前方ブレード１２を後退位置へ移動させるように、構成されるべきである。
【００３８】
前方ブレード１２の前方に位置する前方プレート３０及び後方ブレード１３の後方に位置する後方プレート３１は、掃除機ヘッド１０とカーペット面８０との間により良好なシールを形成するという利点を有する。特に、プレート３０、３１それぞれは、その対応する後退したブレード１２、１３と共に、カーペット８０を優しく潰し、カーペット８０と共に部分的なシールを形成する。この利点にかかわらず、前方及び後方プレート３０、３１を省略し得る、傾斜付けし得る、または、後退したブレード１２、１３に対して異なる高さで位置し得る。
【符号の説明】
【００３９】
１０  掃除機ヘッド、１２  前方ブレード，ブレード、１３  後方ブレード，ブレード、１４  ブラケット、２０  吸引入口、３０  前方プレート，プレート、３１  後方プレート，プレート、４３  第１軸、４４  第２軸、５０，６０  前方を向く面、５１，６１  後方を向く面、８０  カーペット，カーペット面（清掃面）
【図１】
2018175899.tif 000003
【図２】
2018175899.tif 000004
【図３】
2018175899.tif 000005
【図４】
2018175899.tif 000006
【図５】
2018175899.tif 000007
【図６】
2018175899.tif 000008
【図７】
2018175899.tif 000009
【図８】
2018175899.tif 000010
【外国語明細書】
2018175899000001.pdf